(57)【特許請求の範囲】
【請求項１】
樹脂成形品のデザインパネル及び吸込みグリルを有する化粧パネルを備えた天井埋込形空気調和機において、
前記デザインパネルは、多角形の外形で吹出口を有すると共に、中央部には開口部を有し、その多角形の外形に沿った樹脂成形品の厚肉リブが、前記デザインパネルの外周部，内周部及びそれらの間に形成され、前記厚肉リブには化粧パネル表面にひけが生じるのを防止するためのボイドが形成されており、
前記吸込みグリルは、前記デザインパネル中央の開口部に配置されると共に吸込口を有し、その外周部には樹脂成形品の厚肉リブが形成され、この厚肉リブにも化粧パネル表面にひけが生じるのを防止するためのボイドが形成されている
ことを特徴とする天井埋込形空気調和機。
【発明の詳細な説明】
【０００１】
【産業上の利用分野】
本発明は冷房あるいは暖房が可能な天井埋込カセット形の空気調和機の化粧パネルに係り、特に、樹脂射出成形品の化粧パネルに関する。
【０００２】
【従来の技術】
従来の空気調和機の化粧パネルは、図６に示すように樹脂成形品外周部に金属製の補強用取付ステー５をステー取付用ねじ６で止め強度を持たせている。また金属部に露が付くのを防ぐため、露付防止用断熱剤７を貼り付けている。
【０００３】
【発明が解決しようとする課題】
上記従来技術は、現地で据付けの際、パネルの重量が重くなるため障害となる。また部品数が増えるので原価面でも高くなる。
【０００４】
本発明の目的は、樹脂成形品の縦リブを中空成形にすることにより厚肉として強度を向上させ、金属製の補強取付用ステーと断熱を廃止し、軽量化，省工事性及び原価を下げる構造を提供することにある。
【０００５】
【課題を解決するための手段】
上記目的を達成するため、本発明は、樹脂成形品のデザインパネル及び吸込みグリルを有する化粧パネルを備えた天井埋込形空気調和機において、前記デザインパネルは、多角形の外形で吹出口を有すると共に、中央部には開口部を有し、その多角形の外形に沿った樹脂成形品の厚肉リブが、前記デザインパネルの外周部，内周部及びそれらの間に形成され、前記厚肉リブには化粧パネル表面にひけが生じるのを防止するためのボイドが形成されており、前記吸込みグリルは、前記デザインパネル中央の開口部に配置されると共に吸込口を有し、その外周部には樹脂成形品の厚肉リブが形成され、この厚肉リブにも化粧パネル表面にひけが生じるのを防止するためのボイドが形成されていることを特徴とするものである。
【０００７】
上記において、前記厚肉リブを化粧パネルの周方向に連続的に接続することができず、切断部となってその部分の強度が低下する場合には、厚肉リブの切断部に厚肉リブと垂直方向に補強リブを設けるか、あるいは別部品によるスペーサで切断された厚肉リブどうしを接続して補強するようにすると良い。
【０００８】
【作用】
強度を向上させるため、樹脂射出成形品に厚肉リブを設けると、化粧面が収縮しひけを生じる。そこで厚肉リブ部を中空成形にすることにより、連続したボイドを発生させ樹脂の収縮による負圧の発生を吸収し、ひけを防ぐことができる。
【０００９】
【実施例】
以下、本発明の一実施例を図１，図２及び図３に示す。図１は本発明の厚肉リブを有する天井埋込カセット４方向の吹出形の化粧パネル裏面の構造図を示す。化粧パネルは主に吹出口をもつデザインパネル１と吸込口を有する吸込みグリル２からなっている。
【００１０】
従来の例の天井埋込カセット４方向の吹出形の化粧パネルの裏側の構造図を図４に示す。デザインパネル１の外周四箇所に金属製の補強用取付ステー５を取り付け強度を向上させている。図５，図６に図４の断面を示す。金属製の補強用取付ステー５をねじ６で止め金属部の露付対策として露付防止用断熱材７を貼り付けている。図５の金属製の補強用取付ステー５をＬ型にして、高さ方向に長くして剛性を増している。実際は少しでも重量が軽くなるよう図６に示すようなコ型補強用取付ステー８を付けている。しかし金属製のため、全体の重量が上がり、部品点数が増え原価が上がっていた。
【００１１】
これに対し本発明では、デザインパネル１の外周部，内周部及びその間のリブを連続した中空成形厚肉リブ３にすることにより強度を向上させ、そり，たわみを防ぐ構造となっている。厚肉リブ３の寸法は金属ステー付けの場合と同等の強度を有するよう設定してある。図２に図１の断面を示す。厚肉リブ３を設けると、化粧パネル表面にひけが生じやすくなるため厚肉リブに強制的にボイド４を発生させ、ボイド４により樹脂の収縮による負圧の発生を吸収しひけを防ぐようになっている。この中空成形厚肉リブにより強度を有し化粧パネル表面にひけが生じない化粧パネルを提供することができる。
【００１２】
図１に示す正方形のものでは、外周が大きく真ん中が抜けているデザインパネル１では、外周，内周及びその間に連続した中空成形厚肉リブ３を設け、デザインパネル１の真ん中抜け部に入る吸込みグリル２は外周のみ中空成形厚肉リブ３を設けてある。図３は連続した中空成形厚肉リブを有する長方形の天井カセット埋込形の化粧パネルの裏側の構造図を示し、長手方向の中空成形厚肉リブ３を厚くしている。このように、化粧パネルの形状に合わせ中空成形厚肉リブ３の数あるいは厚さを提供することが可能となる。
【００１３】
図７及び図８に本発明の他の実施例を示す。図７に示すデザインパネル７では、コード１１や他部品の通路となる所では中空成形厚肉リブ３を連続で継ぐことができず、この切断面の強度は弱くなる。そこでこの切断部の中空成形厚肉リブと垂直に補強リブ９を設け強度を向上させる。補強リブ９は全方向への強度を向上させるためＬ形とする。図７のような補強リブ９を立てるスペースが十分に取れない時は、図８に示すような構造とする。中空成形厚肉リブ３の切断端部をコ型にし、そこにスペーサ１０を入れて中空成形厚肉リブ３を継ぎ強度を向上させる。この時、この切断部を通るコード１１や他部品等に当たらないような高さとする。
【００１４】
本実施例により、部品点数の削減及び軽量化による省工事性を持った構造となる。
【００１５】
【発明の効果】
本発明によれば、デザインパネルには、多角形の外形に沿った樹脂成形品の厚肉リブが、外周部，内周部及びそれらの間に形成され、前記厚肉リブには化粧パネル表面にひけが生じるのを防止するためのボイドが形成され、吸込みグリルには、その外周部に樹脂成形品の厚肉リブが形成され、この厚肉リブにも化粧パネル表面にひけが生じるのを防止するためのボイドが形成されているので、金属製の補強用取付ステーを廃止して軽量化することができ、これにより化粧パネルの据付性の向上を図ることができると共に、部品点数も削減でき、原価低減も図ることができる。
更に本発明によれば、化粧パネルの周方向に沿って樹脂成形品の複数の厚肉リブを設けても、厚肉リブにはボイドが形成されているので、樹脂の収縮による負圧の発生を吸収してひけを防止することができ、強度が高く表面にひけを生じない化粧パネルを得ることができる効果がある。
【図面の簡単な説明】
【図１】本発明の中空成形厚肉リブを有する化粧パネルの裏側の正面図。
【図２】図１のＡ−Ａ矢視断面図。
【図３】本発明の中空成形厚肉リブを有する長方形の化粧パネルの裏側の正面図。
【図４】従来技術の一実施例を示す化粧パネルの裏側の正面図。
【図５】図４のＢ−Ｂ矢視断面図。
【図６】図４のＢ−Ｂ矢視断面図。
【図７】本発明の厚肉リブの切断部に垂直にリブを立てた化粧パネルの裏側の正面図。
【図８】本発明のスペーサ取付図。
【符号の説明】
１…デザインパネル、２…吸込みグリル、３…中空成形厚肉リブ、４…ボイド、５，８…補強用取付ステー、６…ねじ、７…露付防止用断熱材、９…補強リブ、１０…スペーサ、１１…コード。
【図１】
0003971805.tif 000002
【図２】
0003971805.tif 000003
【図３】
0003971805.tif 000004
【図４】
0003971805.tif 000005
【図５】
0003971805.tif 000006
【図６】
0003971805.tif 000007
【図７】
0003971805.tif 000008
【図８】
0003971805.tif 000009